(57)【要約】【課題】音源の音響特性に影響を与えることなく、複数の音源を有する楽器の音を楽器用ピックアップによって集音でき、かつ、楽器用ピックアップの取付作業や保守作業も容易に行うことができるようにする。【解決手段】複数の音源２に対向して配され、音源２からの音に反応して加振される振動体３１と、振動体３１の振動を検出するセンサ３２と、を備える楽器用ピックアップ４を提供する。【選択図】図１
2019159267.tif 000002
【特許請求の範囲】
【請求項１】
複数の音源に対向して配され、前記音源からの音に反応して加振される振動体と、
前記振動体の振動を検出するセンサと、を備える楽器用ピックアップ。
【請求項２】
前記振動体の共振周波数が、複数の前記音源において発生する基音の周波数領域と異なる請求項１に記載の楽器用ピックアップ。
【請求項３】
前記振動体と前記センサとの間に緩衝材が介在している請求項１又は請求項２に記載の楽器用ピックアップ。
【請求項４】
前記振動体は、支持体に対して自由振動可能となるように支持されている請求項１から請求項３のいずれか一項に記載の楽器用ピックアップ。
【請求項５】
前記振動体が、複数の前記音源のうちいずれか二つの前記音源の配列方向に延びており、
前記配列方向における前記振動体の寸法は、二つの前記音源間の距離よりも大きい請求項１から請求項４のいずれか一項に記載の楽器用ピックアップ。
【請求項６】
前記振動体における振動の減衰率が、前記音源において発生する音の減衰率よりも大きい請求項１から請求項５のいずれか一項に記載の楽器用ピックアップ。
【請求項７】
複数の音源と、
請求項１から請求項６のいずれか一項に記載の楽器用ピックアップと、
を備える楽器。
【請求項８】
前記音源が、凹部を有する音板であり、
前記振動体の少なくとも一部が、前記音板の前記凹部内に位置する請求項７に記載の楽器。
【発明の詳細な説明】
【技術分野】
【０００１】
本発明は、楽器用ピックアップ及び楽器に関する。
【背景技術】
【０００２】
従来、木琴、鉄琴、チェレスタ等の音板楽器、チャイムなどのように、演奏者の操作によって音を発生する複数の音源を有する楽器では、その音を様々な方法で集音することが考えられている。特許文献１には、マリンバ、シロフォン、ヴィブラフォン等の音板楽器において、センサが取り付けられた打撃体を、音板の間に配した構成が開示されている。特許文献１のセンサは、打撃体に加えられた打撃によって発生する振動を検出することで、打撃体において生じた音を集音する。
【先行技術文献】
【特許文献】
【０００３】
【特許文献１】特開昭６３−０４０１９７号公報
【発明の概要】
【発明が解決しようとする課題】
【０００４】
音板楽器等のように複数の音源を有する楽器の音を集音するためには、特許文献１の場合と同様に、各音源にセンサを設けることが考えられる。しかし、センサを音板等の音源に直接取り付けると、音源の音響特性（例えば音程、減衰特性、音色など）が変化してしまう、という問題がある。
また、音板楽器等のように音源の数が多い楽器では、センサの数も多くなるため、音源に対するセンサの取付作業や保守作業が面倒である（例えば配線の取り回しやどの部分にトラブルが発生したか分かりにくい）、という問題もある。
【０００５】
本発明は、上述した事情に鑑みてなされたものであって、音源の音響特性に影響を与えることなく、複数の音源を有する楽器の音を集音でき、かつ、取付作業や保守作業も容易に行うことが可能な楽器用ピックアップ、及びこれを備える楽器を提供することを目的とする。
【課題を解決するための手段】
【０００６】
本発明の楽器用ピックアップは、複数の音源に対向して配され、前記音源からの音に反応して加振される振動体と、前記振動体の振動を検出するセンサと、を備える。
【０００７】
本発明の楽器は、複数の音源と、前記楽器用ピックアップと、を備える。
【発明の効果】
【０００８】
本発明によれば、振動体及びセンサが音源に接触しないため、音源の音響特性に影響を与えることなく、音源の音を集音できる。また、複数の音源の音を一つの振動体及びセンサによって検出することができるため、楽器用ピックアップの取付作業や保守作業を容易に行うことができる。
【図面の簡単な説明】
【０００９】
【図１】本発明の一実施形態に係る楽器用ピックアップを含む楽器を模式的に示す平面図である。
【図２】図１のII−II矢視断面図である。
【図３】図１のIII−III矢視断面図である。
【図４】本発明の一実施形態に係る楽器用ピックアップの振動板の周波数特性の一例を示すグラフである。
【図５】本発明の他の実施形態に係る楽器用ピックアップを含む楽器を示す断面図である。
【発明を実施するための形態】
【００１０】
以下、図１〜４を参照して本発明の一実施形態について説明する。本実施形態では、本発明に係る楽器として、木琴類のマリンバや鉄琴類のヴィブラフォンなどの音板楽器１を例示する。図１〜３においては、音板楽器１の演奏者から見て音板楽器１の左右方向をＸ軸方向とし、音板楽器１の前後方向をＹ軸方向とし、音板楽器１の上下方向をＺ軸方向としている。
【００１１】
図１，２に示すように、音板楽器１は、複数の音板２（音源）を備える。また、音板楽器１は、複数の音板２を支持するフレーム３を備える。
フレーム３の具体的な構成は任意であってよい。本実施形態のフレーム３は、二つの第一梁１１と、二つの第二梁１２と、二つの第三梁１３と、を備える。
【００１２】
二つの第一梁１１は、互いに平行して一方向（Ｘ軸方向）に延びている。二つの第二梁１２は、二つの第一梁１１の配列方向（Ｙ軸方向）において二つの第一梁１１の外側に配されている。各第二梁１２は、第一梁１１の長手方向の一方側から他方側（図１において左側から右側）に向かうにしたがって第一梁１１との間隔が小さくなるように延びている。二つの第三梁１３は、二つの第一梁１１及び第二梁１２の配列方向に延びている。二つの第三梁１３は、長手方向における第一梁１１及び第二梁１２の両端に接続される。図１においては、二つの第三梁１３のうち左側に位置する第三梁１３だけが示され、右側に位置する第三梁は省略されている。
【００１３】
各音板２は、帯板状に形成されている。各音板２は、その長手方向がＹ軸方向に向くようにＹ軸方向に隣り合う第一梁１１及び第二梁１２の上側に配される。これにより、長手方向における各音板２の両端部が、第一梁１１及び第二梁１２によって支持される。図２において、音板２と第一梁１１や第二梁１２との間にはフェルト枕１４が設けられている。
【００１４】
各音板２には凹部２１が形成されている。凹部２１は、音板２のうちフレーム３側（第一梁１１側、第二梁１２側）に向く面２ａ（下面２ａ）から窪むように形成されている。凹部２１は、Ｙ軸方向において第一梁１１及び第二梁１２の間に位置する音板２の中間部に形成されている。
【００１５】
各音板２は、その上面２ｂがマレット等により打撃されることによって音を発生する。具体的に、音板２は、打撃されることで音板２のうちフレーム３（第一梁１１、第二梁１２）によって支持された部位を節として振動し、この振動によって音板２から音が発生する。音板２において生じる音には、基音及び倍音がある。基音は、音板２が一次モードで振動することで発生する音である。倍音は、音板２が二次モードや三次モードなどで振動することで発生する音である。一次モード、三次モードの振動では、振動の腹が長手方向における音板２の中間２Ｃに位置する。二次モードの振動では、振動の節が音板２の中間２Ｃに位置する。
【００１６】
複数の音板２は、互いに異なる音階の音を発生する。複数の音板２は、Ｘ軸方向に配列されている。複数の音板２は、手前側（Ｙ軸負方向側）においてＸ軸方向に配列される第一音板群２２と、第一音板群２２よりも奥側（Ｙ軸正方向側）においてＸ軸方向に配列される第二音板群２３と、を構成している。第一音板群２２を構成する複数の音板２は、幹音（音階名がＣ，Ｄ，Ｅ，Ｆ，Ｇ，Ａ，Ｂである音）を発生する。第二音板群２３を構成する複数の音板２は、派生音（音階名がＣ＃，Ｄ＃，Ｆ＃，Ｇ＃，Ａ＃である音）を発生する。
【００１７】
図１〜３に示すように、音板楽器１は、楽器用ピックアップ４を備える。楽器用ピックアップ４は、振動体３１と、センサ３２と、を備える。
【００１８】
振動体３１は、複数の音板２に対向して配される。すなわち、振動体３１は、複数の音板２に対して間隔をあけて配される。振動体３１と複数の音板２との間隔は、任意であってよいが、音板２が振動しても振動体３１に接触しない範囲で小さくすることがより好ましい。
本実施形態において、振動体３１は複数の音板２の下面２ａ側に配される。振動体３１は、例えば全ての音板２の下面２ａ側に一つだけ配されてよい。本実施形態の振動体３１には、第一音板群２２を構成する複数の音板２の下面２ａ側に配される第一振動体３１Ａと、第二音板群２３を構成する複数の音板２の下面２ａ側に配される第二振動体３１Ｂと、がある。
【００１９】
各振動体３１（３１Ａ，３１Ｂ）は、各音板群２２，２３の複数の音板２の配列方向（Ｘ軸方向）に延びている。各振動体３１は、少なくともＸ軸方向に並ぶ二つの音板２の下面２ａ側に配されるように形成されればよい。すなわち、Ｘ軸方向における各振動体３１の寸法は、Ｘ軸方向に配列された二つの音板２間の距離よりも大きければよい。具体的に、Ｘ軸方向における各振動体３１の寸法は、Ｘ軸方向における二つの音板２の寸法及び二つの音板２の間の間隔の寸法を足し合わせた寸法以上であればよい。このため、各振動体３１は、例えばＸ軸方向に複数配列されてもよい。本実施形態においては、一つの第一振動体３１Ａが第一音板群２２を構成する全ての音板２に対応し、一つの第二振動体３１Ｂが第二音板群２３を構成する全ての音板２に対応している。
【００２０】
第一振動体３１Ａ、第二振動体３１Ｂは、音板楽器１をＺ軸方向から見た平面視で、それぞれフレーム３の第一梁１１、第二梁１２及び第三梁１３によって囲まれた領域１５（配置領域１５）に位置している。すなわち、第一振動体３１Ａ、第二振動体３１Ｂは、配置領域１５をなすフレーム３の枠部の内側に位置している。
【００２１】
振動体３１は、音板２からの音に反応して加振（音響加振）される。具体的に、振動体３１は、音板２において発生して空気中に伝わる音波が振動体３１に到達することで振動する。このため、振動体３１と複数の音板２との間隔を小さくすることで、音板２において発生した音（振動）を効率よく振動体３１に伝達することができる。振動体３１は、各音板２の音の周波数に応じた周波数で振動する。
【００２２】
振動体３１は、棒状、筒状、ブロック状など任意の形状に形成されてよい。本実施形態の振動体３１は、板状に形成されている。板状の振動体３１は、その板厚方向において振動体３１に向かう音に対して振動しやすく、板厚方向に直交する方向において振動体３１に向かう音に対して振動しにくい。すなわち、板状の振動体３１は、音に対して高い指向性を有する。本実施形態において、板状の振動体３１は、その板厚方向に直交する面３１ｃ（対向面３１ｃ）が音板２側に向くように配されている。このため、振動体３１は、音板２からの音に対して高い感度で振動することができる。
【００２３】
振動体３１は、例えば平板状に形成されてもよい。本実施形態の振動体３１は、湾曲した板状に形成されている。具体的に、板状の振動体３１は、音板２に対向する振動体３１の対向面３１ｃが凹部２１の内面に沿うように湾曲している。本実施形態では、振動体３１の対向面３１ｃが凹部２１の内面の近くに位置するように、振動体３１の一部が音板２の凹部２１内に位置する。凹部２１内に位置する振動体３１の部位は、長手方向における音板２の中間２Ｃに対応する部位に対向する。
【００２４】
図４に示すように、振動体３１の共振周波数ｆ１は、振動体３１に対応する複数の音板２において発生する基音の周波数領域ｆｒと異なる。例えば第一振動体３１Ａの共振周波数ｆ１は、第一音板群２２を構成する複数の音板２において発生する基音の周波数領域ｆｒと異なる。振動体３１の共振周波数ｆ１と「基音の周波数領域ｆｒ」との差分は、例えば小さくてもよいが、大きい方がより好ましい。図４において、振動体３１の共振周波数ｆ１は「基音の周波数領域ｆｒ」よりも高いが、例えば低くてもよい。
【００２５】
振動体３１は、例えば高い比剛性を有するとよい。振動体３１の比剛性を高くすることで、振動体３１の共振周波数ｆ１を高くすることができる。すなわち、振動体３１の共振周波数ｆ１と「基音の周波数領域ｆｒ」との差分を大きくすることが可能となる。
また、振動体３１における振動の減衰率は、例えば音板２において発生する音の減衰率よりも大きいとよい。
【００２６】
振動体３１を構成する材料は、例えば紙、木材、樹脂、金属箔、またはこれらの複合材など任意であってよい。振動体３１の構造は、例えば気泡を含まない無垢の構造、気泡を含む発泡構造、ハニカム構造など、任意であってよい。振動体３１の構造が、発泡構造、ハニカム構造である場合には、無垢の構造である場合と比較して振動体３１の比剛性を高くすることができる。
【００２７】
図１〜３に示すように、振動体３１は、複数の音板２に対して所定の位置に保持される。振動体３１を保持する手法は任意であってよい。本実施形態において、振動体３１は、フレーム３（支持体）に対して自由振動可能となるように支持されることで、複数の音板２の下側の位置に保持される。振動体３１がフレーム３に対して自由振動可能であることは、振動体３１がフレーム３によって制限されることなく振動できることを意味する。
具体的に、振動体３１は、吊具５によってフレーム３に対して吊るされることで、フレーム３に対して自由振動可能に支持される。吊具５は、少なくとも紐や糸、鎖などのように引っ張ることで張力が生じるものであればよい。また、吊具５は、バネやゴム紐などのように弾性的に伸縮するものであってもよい。図示例において、振動体３１は吊具５によってフレーム３の第一梁１１及び第二梁１２に吊るされているが、これに限ることはない。振動体３１は、例えばフレーム３とは別個の支持体に対して吊るされてもよい。
【００２８】
センサ３２は、振動体３１の振動を検出する。センサ３２は、振動体３１の振動に応じた電気信号を出力する。
センサ３２は、振動体３１に対して、少なくとも音板２からの音に伴う振動体３１の振動を効率よく検出する位置又は方向に配されればよい。本実施形態において、センサ３２は、板状の振動体３１に対してその板厚方向に隣り合わせて配されている。センサ３２は、図１，３に例示するように振動体３１の対向面３１ｃ側に配されてもよいが、例えば対向面３１ｃと反対側に向く振動体３１の面側に配されてもよい。また、センサ３２は、Ｚ軸方向から見た平面視で、例えば音板２と重なる位置に配されてもよいが、本実施形態では図１に示すように音板２と重ならない位置に配されている。
【００２９】
センサ３２は、振動体３１に接触してもよいし、接触しなくてもよい。振動体３１に接触するセンサ３２（接触型センサ）には、例えば振動センサや加速度センサ、速度センサ、変位センサなどがある。振動体３１に接触しないセンサ３２（非接触型センサ）には、音圧センサや光センサなどがある。本実施形態のセンサ３２は、図３に例示するように接触型センサである。センサ３２は、ねじ止めや接着（例えば接着剤や両面テープを用いた接着）など任意の手法で振動体３１に取り付けられてよい。
【００３０】
センサ３２は、例えば振動体３１に直接接触してよい。本実施形態では、図３に示すように、振動体３１とセンサ３２との間に緩衝材３３が介在している。すなわち、センサ３２は、緩衝材３３を介して振動体３１に接触する。
緩衝材３３は、振動体３１における振動の周波数が高くなるにしたがって振動の伝達効率が低くなる特性を有する。緩衝材３３は、「基音の周波数領域ｆｒ」（図４参照）における振動の伝達効率が高く、「基音の周波数領域ｆｒ」よりも高い周波数帯域（振動体３１の共振周波数ｆ１を含む周波数帯域）における振動の伝達効率が低いとよい。
緩衝材３３の粘度は、振動体３１と比較して高いことが好ましい。緩衝材３３の具体例としては、例えばスポンジ、フェルト、ゴム、木材などが挙げられる。
【００３１】
センサ３２は、例えば同一の振動体３１に対して複数設けられてよい。この場合、複数のセンサ３２は、互いに間隔をあけて配されるとよい。本実施形態のセンサ３２は、同一の振動体３１に対して一つ設けられている。
【００３２】
本実施形態の楽器用ピックアップ４では、音板２からの音に応じた振動体３１の振動をセンサ３２によって検出することで、音板２の音を集音することができる。
本実施形態の楽器用ピックアップ４及び音板楽器１によれば、振動体３１及びセンサ３２は音板２に接触しない。このため、楽器用ピックアップ４は、音板２の音響特性に影響を与えることなく、音板楽器１の音を集音できる。また、複数の音板２の音を一つの振動体３１及びセンサ３２によって検出できるため、楽器用ピックアップ４の取付作業や保守作業を容易に行うことができる。
また、センサ３２やこれに接続される配線の数を少なくすることができるため、楽器用ピックアップ４を安価に製造することができる。
【００３３】
また、本実施形態の楽器用ピックアップ４及び音板楽器１によれば、複数の音板２のうち二つの音板２の配列方向（Ｘ軸方向）における振動体３１の寸法が、二つの音板２間の距離よりも大きい。これにより、二つ以上の音板２の音を確実に一つの振動体３１及びセンサ３２によって検出することができる。
【００３４】
また、本実施形態の楽器用ピックアップ４及び音板楽器１によれば、振動体３１の共振周波数ｆ１が複数の音板２において発生する「基音の周波数領域ｆｒ」と異なる。このため、音板２において生じた所定の周波数の音に対して振動体３１が共振することを抑制できる。これにより、楽器用ピックアップ４が、所定周波数の音を他の周波数の音よりも高い音圧で集音してしまうことを抑制できる。すなわち、楽器用ピックアップ４によって集音した複数の音板２の音の音量が音階に応じて異なってしまうこと（音量ムラが生じること）を抑制できる。
【００３５】
また、本実施形態の楽器用ピックアップ４及び音板楽器１において、振動体３１における振動の減衰率が音板２において発生する音の減衰率よりも大きい場合には、以下の効果を奏する。仮に振動体３１の共振周波数ｆ１と「基音の周波数領域ｆｒ」との差分が小さくても、音板２からの音に対して振動体３１が共振することを抑制できる。
【００３６】
また、本実施形態の楽器用ピックアップ４及び音板楽器１では、振動体３１とセンサ３２との間に緩衝材３３が介在している。これにより、「基音の周波数領域ｆｒ」よりも高い周波数帯域の振動に対するセンサ３２の感度を低くすることが可能となる。振動体３１の共振周波数ｆ１が高い周波数帯域に含まれる場合には、仮に振動体３１が打撃される等して振動体３１が共振周波数ｆ１で振動したとしても、この振動がセンサ３２によって検出されることを抑制できる。
【００３７】
また、本実施形態の楽器用ピックアップ４及び音板楽器１では、振動体３１が、フレーム３等の支持体に対して自由振動可能に支持されている。具体的に、振動体３１は吊具５によってフレーム３に対して吊るされている。このため、音板２からの音に基づく振動体３１の動きがフレーム３等の支持体によって制限されることを抑制又は防止できる。これにより、音板２の音に対して振動体３１を効率よく振動させることができる。例えば、音板２の音が小さくても振動体３１を振動させることができる。
【００３８】
また、本実施形態の音板楽器１では、振動体３１が音板２の下面２ａ側に配されているため、楽器用ピックアップ４は音板２の音を効率よく集音できる。また、音板楽器１の演奏（音板２を打撃する行為）が振動体３１によって妨げられることも防止できる。
【００３９】
また、本実施形態の音板楽器１は、音板２の下面２ａ側に音板２の音を集音する楽器用ピックアップ４を設けて構成される。このため、共鳴管（パイプ）を有するシロフォン、マリンバ、ヴィブラフォン等の従来の音板楽器から共鳴管を取り外した音板楽器を構成できる。したがって、音板楽器１を安価に製造できる。また、音板楽器１の小型化を図ることができるため、音板楽器１をコンパクトに収納できる、また、容易に持ち運ぶことができる。
【００４０】
また、本実施形態の音板楽器１では、振動体３１が音板楽器１のフレーム３の枠部の内側に配されるように構成されている。このため、楽器用ピックアップ４を既存の音板楽器１に対して簡単に付け足すことができる。
また、振動体３１が音板楽器１のフレーム３の枠部の内側に配されることで、振動体３１と複数の音板２との間隔を小さくすることができる。これにより、楽器用ピックアップ４によって集音される音板２からの音圧を上げることができ、ハウリングの発生を抑制できる。
【００４１】
また、本実施形態の音板楽器１では、振動体３１の一部が音板２の凹部２１内に位置する。このため、振動体３１を音板２に対してより近くに位置させることができ、ハウリングの発生をさらに抑制できる。
また、振動体３１を音板２の凹部２１内に位置させることで、凹部２１内に位置する振動体３１の部位を、長手方向における音板２の中間２Ｃに対応する部位に対向して配することができる。このため、音板２において発生した音のうち振動の腹が音板２の中間２Ｃに位置する基音に対して振動体３１を高い感度で振動させることができる。すなわち、音板２において発生した基音を効率よく集音できる。
【００４２】
また、本実施形態の楽器用ピックアップ４において、振動体３１は音に対する指向性が高い板状に形成されている。また、板状の振動体３１は、その板厚方向に直交する面が音板２側に向くように配されている。このため、楽器用ピックアップ４では、音板２の音を集音しやすく、かつ、音板２以外の音（例えば、楽器用ピックアップ４において集音した音を出力するスピーカの音、他の楽器の音など）を集音しにくくすることができる。これにより、ハウリングを抑制することができる。
【００４３】
本実施形態の楽器用ピックアップ４において、振動体３１を筒状に形成した場合には、振動体３１が板状である場合と比較して振動体３１の比剛性を容易に高くすることができる。このため、振動体３１の共振周波数ｆ１と「基音の周波数領域ｆｒ」との差分を大きくすることが可能となる。これにより、音板２において生じた所定の周波数の音に対して振動体３１が共振することを抑制できる。
【００４４】
上記実施形態において、振動体３１は、吊具５を用いる代わりに、例えば金属製スプリングなどのような弾性体上に載せられることで、複数の音板２に対して所定の位置に保持されてもよい。弾性体は、例えばフレーム３を載せる台上に配されてよい。振動体３１が弾性体上に載せられる場合、弾性体によって振動体３１を支持する方法を変えることにより、共振周波数ｆ１で振動する際の振動体３１の振動モード（固有モード）を制御することができる。例えば、弾性体によって振動体３１を支持する支持点の数や位置を変えることで、振動体３１の振動モードの腹や節の位置を変えることができる。
【００４５】
また、上記実施形態において、振動体３１は、例えばスポンジ、フェルト、ゴムなどのような粘弾性体上に載せられることで、複数の音板２に対して所定の位置に保持されてもよい。この場合には、前述した効果に加え、粘弾性体の粘性によって振動体３１における振動の減衰率を向上させることができる。これにより、音板２からの音に対して振動体３１が共振することを抑制できる。
【００４６】
また、上記実施形態において、振動体３１は、例えば音板２からの音に応じた振動体３１の振動を妨げないように振動体３１の端部がフレーム３などの支持体に固定されることで、複数の音板２に対して所定の位置に保持されてもよい。上記実施形態のように振動体３１がフレーム３の枠部の内側に位置する場合には、例えば振動体３１の端部がフレーム３の第一梁１１、第二梁１２、第三梁１３のうちいずれか一つに固定されてよい。すなわち、振動体３１が片持ち梁となるようにフレーム３に固定されてよい。また、例えば一方向における振動体３１の両端部がフレーム３に固定されてもよい。すなわち、振動体３１が両持ち梁となるようにフレーム３に固定されてもよい。
このように振動体３１がフレーム３などの支持体に固定される場合には、振動体３１の共振周波数ｆ１を高めることができる。これにより、振動体３１の共振周波数ｆ１と「基音の周波数領域ｆｒ」（図４参照）との差分を大きくすることができる。
【００４７】
上記実施形態においては、例えば図５に示すように、振動体３１全体が音板２の凹部２１内に位置してもよい。また、上記実施形態においては、例えば図５に示すように、振動体３１全体が音板２の中間２Ｃの部位に対向するように配されてもよい。この場合には、音板２において発生する基音（一次モードの振動に対応して発生する音）を、音板２における二次モードの振動に対応して発生する音よりも効率よく集音できる。
【００４８】
以上、本発明について詳細に説明したが、本発明は上記実施形態に限定されるものではなく、本発明の趣旨を逸脱しない範囲において種々の変更を加えることが可能である。
【００４９】
本発明の楽器用ピックアップにおいて、振動体は、例えば複数の音板及びフレームを収容するケースによって構成されてもよい。また、振動体は、例えば音板楽器を載せる机や台によって構成されてもよい。これらの場合には、専用の振動体を用意する必要がないため、楽器用ピックアップを安価に導入することが可能となる。
【００５０】
本発明の楽器用ピックアップは、上記実施形態の音板楽器に限らず、チェレスタ等の他の音板楽器、チャイムなど、複数の音源を有する任意の楽器に適用可能である。
【符号の説明】
【００５１】
１…音板楽器（楽器）、２…音板（音源）、３…フレーム（支持体）、４…楽器用ピックアップ、５…吊具、２１…凹部、３１…振動体、３２…センサ、３３…緩衝材、ｆ１…共振周波数、ｆｒ…基音の周波数領域
【図１】
2019159267.tif 000003
【図２】
2019159267.tif 000004
【図３】
2019159267.tif 000005
【図４】
2019159267.tif 000006
【図５】
2019159267.tif 000007